(57)【特許請求の範囲】
【請求項１】
商品の情報を光学的に読み取り可能な複数の入力端末とそれぞれ無線通信可能な無線通信部と、
該無線通信部によって受信した前記入力端末からの商品情報によって商品の代金の精算を行う商品精算制御部と、
前記入力端末からの商品情報によって商品の管理に関する処理を行う商品管理制御部と、
該商品管理制御部が商品の管理に関する処理を行う際に使用するデータベースと、その処理結果を蓄積するデータベースとを格納するデータベース格納部と、
前記商品精算制御部による精算情報および前記商品管理制御部による商品の管理状況を表示できるディスプレイと、
前記商品情報を手で入力するためのキーボードと、
現金を収納するキャッシュドロワとを備え、
ＰＯＳシステムの商品管理機能を有し、
前記商品精算制御部には、販売する商品の品名又は品名コードを登録する商品販売登録部と、販売する商品の価格の登録及び入金額に対する釣銭の計算を行う代金入出力管理部を含み、
前記商品管理制御部には、商品在庫の管理を行う商品在庫管理部と、商品入荷の管理を行う商品入荷管理部と、商品廃棄の管理を行う商品廃棄管理部を含み、
前記ディスプレイとして、表示画面を顧客側に向けられる複数の小ディスプレイと表示画面を店員側に向けられる大ディスプレイとを備え、
前記複数の小ディスプレイには、前記複数の入力端末のうちの異なる入力端末から個別に入力される商品情報に基づいて前記商品精算制御部によって個別に精算される精算情報を個別に表示し、前記大ディスプレイには前記商品精算制御部による精算情報と前記商品管理制御部による商品の管理状況とを表示することを特徴とするキャッシュレジスタ。
【請求項２】
請求項１に記載のキャッシュレジスタにおいて、
前記商品管理制御部が商品の管理に関する処理を行う際に使用するデータベースは商品の品名コードと品名及び価格を含む商品情報データべースであり、前記商品管理制御部による処理結果を蓄積するデータベースは在庫管理データベース及び売上管理データベースであることを特徴とするキャッシュレジスタ。
【請求項３】
請求項１又は２に記載のキャッシュレジスタにおいて、
前記複数の小ディスプレイ及び前記大ディスプレイを、キャッシュレジスタ本体側に設けた端子によって着脱可能にしたことを特徴とするキャッシュレジスタ。
【請求項４】
請求項１乃至３のいずれか一項に記載のキャッシュレジスタにおいて、
前記大ディスプレイの表示画面を分割し、前記複数の入力端末のうちの異なる入力端末から個別に入力される商品情報に基づいて前記商品精算制御部によって個別に精算される精算情報を、前記大ディスプレイの分割した表示画面の複数の領域に個別に表示するようにしたことを特徴とするキャッシュレジスタ。
【請求項５】
請求項１乃至３のいずれか一項に記載のキャッシュレジスタにおいて、
前記大ディスプレイの表示画面を分割し、前記商品精算制御部によって精算される精算情報と、前記商品管理制御部による商品の管理状況とを、前記大ディスプレイの分割した表示画面の複数の領域に個別に表示するようにしたことを特徴とするキャッシュレジスタ。
【請求項６】
請求項１乃至５のいずれか一項に記載のキャッシュレジスタにおいて、
前記商品精算制御部と前記商品管理制御部とをそれぞれ前記複数の入力端末と同数ずつ設け、その各商品精算制御部と商品管理制御部によって、前記複数の入力端末から個別に入力する商品情報に基づいて個別に前記商品の代金の精算及び前記商品の管理に関する処理を行うようにしたことを特徴とするキャッシュレジスタ。
【請求項７】
請求項６記載のキャッシュレジスタにおいて、
前記複数の商品管理制御部のうちの１つの商品管理制御部を、それ以外の各部を備えたキャッシュレジスタ本体に対して着脱可能に設けたことを特徴とするキャッシュレジスタ。
【発明の詳細な説明】
【技術分野】
【０００１】
この発明は、商品やサービスの販売時の代金精算機として使用されるキャッシュレジスタ（金銭登録機）に関し、特にＰＯＳシステムにおける商品管理機能を備えたキャッシュレジスタに関する。
【背景技術】
【０００２】
近年、キャッシュレジスタが電子化され、単なる精算機ではなく、コンビニエンスストア（以下コンビニと呼ぶ）や小売店において現金を収納するコンピュータとして使用されるようになった。
また、以前は、顧客の購入商品の精算を行う際、店員がその金額を個別にキーボードから手操作で入力していた。しかし、バーコードスキャナが標準装備され、店員はキーボードで入力することなく、バーコードスキャナによって商品のバーコードを読み取るだけで金額入力ができるようになった（例えば、特許文献１参照）。
【０００３】
また、店内の商品在庫管理も、バーコードスキャナとキーボード入力装置を備えたハンディターミナルと呼ばれる端末機器にデータを入力することによって行われている。ハンディターミナルによる在庫管理が終わると、店舗内に設置してあるコンピュータに接続し、データを転送する。また、このコンピュータはキャッシュレジスタとも有線接続されており、先の在庫管理も行い店内にＰＯＳシステムをも構成可能になった（例えば、特許文献２，３参照）。
さらに、キャッシュレジスタは、自動釣り銭出力機、携帯電話との情報送受信機、各種カードスキャナ等の付属機器を設置し、多機能レジスタとして構成されるようになってきている。
【０００４】
【特許文献１】特開平９−６２９４２号公報
【特許文献２】特開平７−９３６６２号公報
【特許文献３】特開２００２−６３６５２号公報
【発明の開示】
【発明が解決しようとする課題】
【０００５】
しかしながら、キャッシュレジスタが多機能化するということは、それに伴い筐体が大きくなり、スペースを多くとることは避けられない。
大型スーパーマーケットであれば、会計場所を広く取っているので、キャッシュレジスタの多少の大型化はあまり問題にはならない。しかしながら、コンビニや小売店では、小さいスペースで少しでも多くの商品を陳列しようとするので、キャッシュレジスタは小型であればあるほどよい。また、昼時や夕方は、小型店でも多くの客が訪れる。そのため、精算を待たせないために２台以上のキャッシュレジスタを置くところも少なくない。すると、さらに多くのスペースを必要とするという問題があった。
【０００６】
また、前述のＰＯＳシステムのためのコンピュータは、キャッシュレジスタより大きなものである。多くの店舗では事務室を個別に設けるほどのスペースはなく、倉庫と続いている場合が多い。ここでも、商品在庫を多く置くために機械類は小型であるのが望ましい。さらに、それらの機器を繋ぐ配線も設置する度に行うのは面倒な作業であり、最小限にするのが望ましい。
【０００７】
この発明は上記の問題を解決するためになされたものであり、特にコンビニや小売店などの小規模店舗で機器を設置するスペースを充分に確保できないところでも、ＰＯＳシステムを導入して、商品やサービスの管理に関する情報（商品別売上情報、在庫情報、仕入情報など）の処理を行えるようにすることを目的とする。
【課題を解決するための手段】
【０００８】
この発明によるキャッシュレジスタは上記の目的を達成するため、商品の情報を光学的に読み取り可能な複数の入力端末とそれぞれ無線通信可能な無線通信部と、その無線通信部によって受信した前記入力端末からの商品情報によって商品の代金の精算を行う商品精算制御部と、上記入力端末からの商品情報によって商品の管理に関する処理を行う商品管理制御部と、その商品管理制御部が商品の管理に関する処理を行う際に使用するデータベースと、その処理結果を蓄積するデータベースとを格納するデータベース格納部と、上記商品精算制御部による精算情報および前記商品管理制御部による商品の管理状況を表示できるディスプレイと、上記商品情報を手で入力するためのキーボードと、現金を収納するキャッシュドロワとを備えており、ＰＯＳシステムの商品管理機能を有する。
さらに、上記商品精算制御部には、販売する商品の品名又は品名コードを登録する商品販売登録部と、販売する商品の価格の登録及び入金額に対する釣銭の計算を行う代金入出力管理部を含み、上記商品管理制御部には、商品在庫の管理を行う商品在庫管理部と、商品入荷の管理を行う商品入荷管理部と、商品廃棄の管理を行う商品廃棄管理部を含む。
また、上記ディスプレイとして、表示画面を顧客側に向けられる複数の小ディスプレイと表示画面を店員側に向けられる大ディスプレイとを備え、上記複数の小ディスプレイには、上記複数の入力端末のうちの異なる入力端末から個別に入力される商品情報に基づいて上記商品精算制御部によって個別に精算される精算情報を個別に表示し、上記大ディスプレイには上記商品精算制御部による精算情報と上記商品管理制御部による商品の管理状況とを表示するようにしたものである。
【０００９】
なお、上記商品管理制御部が商品の管理に関する処理を行う際に使用するデータベースは商品の品名コードと品名及び価格を含む商品情報データべースであり、上記商品管理制御部による処理結果を蓄積するデータベースは在庫管理データベース及び売上管理データベースであるとよい。
【００１０】
さらに、上記複数の小ディスプレイ及び上記大ディスプレイを、キャッシュレジスタ本体側に設けた端子によって着脱可能にするとよい。
【００１１】
また、上記大ディスプレイの表示画面を分割し、上記複数の入力端末のうちの異なる入力端末から個別に入力される商品情報に基づいて上記商品精算制御部によって個別に精算される精算情報を、上記大ディスプレイの分割した表示画面の複数の領域に個別に表示するようにすることもできる。
あるいは、上記大ディスプレイの表示画面を分割し、上記商品精算制御部によって精算される精算情報と、上記商品管理制御部による商品の管理状況とを、上記大ディスプレイの分割した表示画面の複数の領域に個別に表示するようにしてもよい。
【００１２】
上記商品精算制御部と商品管理制御部とをそれぞれ上記複数の入力端末と同数ずつ設け、その各商品精算制御部と商品管理制御部によって、上記複数の入力端末から個別に入力する商品情報に基づいて個別に上記商品の代金の精算及び上記商品の管理に関する処理を行うようにするとよい。
その場合、上記複数の商品管理制御部のうちの１つの商品管理制御部を、それ以外の各部を備えたキャッシュレジスタ本体に対して着脱可能に設けてもよい。
【発明の効果】
【００１３】
この発明によるキャッシュレジスタは、コンビニや小売店などにおける、商品販売やサービス提供時の精算作業と、ＰＯＳシステムによる商品の管理に関する処理を１台のキャッシュレジスタで行うことができる。したがって、従来ＰＯＳシステムを実現するために必要であった専用のコンピュータを設置する必要がなくなり、代金の清算のために最小限必要なキャッシュレジスタとそれに付随する光学的情報読取装置等の手持ち式端末装置だけで済み、スペースをとらず、ローコストでＰＯＳシステムを導入することができる。
【発明を実施するための最良の形態】
【００１４】
以下、この発明を実施するための最良の形態を図面に基づいて具体的に説明する。
〔ハードウェアの構成〕
図２は、この発明によるキャッシュレジスタの一実施例のハードウェア構成を示す図である。
【００１５】
このキャッシュレジスタは、複数の入力端末２７，２８，２９を無線接続することが可能であり、全体でＰＯＳシステム１０も構成している。
このキャッシュレジスタ１は、キーボード２３、キャッシュドロワ２５、大ディスプレイ１５、２個の小ディスプレイ１７，１９、プリンタ２１、および無線通信部２６の各デバイスを備えている。
【００１６】
これらの各デバイスは、それぞれキーボード制御回路２２、キャッシュドロワ制御回路２４、大ディスプレイ制御回路１４、小ディスプレイ制御回路１６及び小ディスプレイ制御回路１８、およびプリンタ制御回路２０によって制御され、それらの各制御回路はいずれも、ＣＰＵ１１及びＲＡＭ１２、ＲＯＭ１３とバス３０によって接続されており、そのＣＰＵ１１とＲＡＭ１２及びＲＯＭ１３によって構成されるマイクロコンピュータによって統括制御される。
【００１７】
ＲＯＭ１３には、このキャッシュレジスタ１が後述する清算作業と管理作業を行うために最小限必要なプログラムと固定データが格納されており、ＲＡＭ１２は入力データやＣＰＵ１１が処理中のデータなどを一時的に記憶する。ＣＰＵ１１はＲＯＭ１３に格納されたプログラムにしたがって、ＲＡＭ１２をワーキングメモリとして使用しながら、図２によって後述する各部の処理を実行する。
【００１８】
キーボード２３は、数字キーやファンクションキーを備えたキャッシュレジスタ用のものである。このキーボードは、キーボード制御回路２２に接続され、キー入力により発生する電気信号をＣＰＵ１１へ送る。
現金を収納するキャッシュドロワ２５は引き出し式の釣り銭箱とも言われるもので、手前側には小分けされた仕切り部に小銭を種類別に入れ、紙幣を奥の方に収納できるように構成されたタイプのものが多い。お買い上げ商品等の代金計算が終わり、預かり金を入金し、釣り銭が計算されると、その釣り銭を出金するために、このキャッシュドロワ２５が機械的に手前に引き出されるようになっている。その機械的な動作はキャッシュドロワ制御部によって駆動制御される。
【００１９】
無線通信部２６は、複数の入力端末２７〜２９と個別に通信することができ、各入力端末２７〜２９によって読み取ったバーコード等の光学的読取情報や、キーボードからの入力情報をそれぞれ受信して、ＣＰＵ１１へ伝送する。
入力端末２７〜２９は、商品や商品リスト、メニューなどに添付あるいは印刷されたバーコードや二次元コード等の光学的に読み取り可能な情報を、光学的に読み取る入力装置である。
例えば、ハンディスキャナと呼ばれる図３及び図４に示すような形態の光学的情報読取装置である。図３はそのハンディスキャナのバーコード読取状態を示す外観斜視図、図４はその側断面概略図である。
【００２０】
このハンディスキャナ３は、ケース３１内に、光投射手段としての光源であるＬＥＤ３２、反射ミラー３３、スリット３４、レンズ等の結像光学系３５、光電変換手段である受光素子（ＣＣＤイメージセンサ）３６、および信号処理部３７を設けている。ＬＥＤ３２は、ケース３１の先端開口部に近い位置に配置されており、直接読み取り対象４の光反射率の異なる部分を有するバーコード記号４ａに光を投射する。反射ミラー３３はケース３１内の折れ曲り部付近に配置されており、ＬＥＤ３２による投射光によるバーコード記号４ａ前方からの反射光を受けて偏向させ、スリット３４を通して結像光学系３５に入射させる。結像光学系３５はバーコード記号４ａの像を受光素子３６の受光面に結像させる。
【００２１】
ＣＣＤイメージセンサによる受光素子３６は、そのバーコード記号４ａの像の濃淡を電気信号に変換して信号処理部３７へ入力させる。信号処理部３７は、アナログ処理部３７ａとデジタル処理部３７ｂからなり、受光素子３６によって光電変換された電気信号をアナログ処理及びデジタル処理し、バーコード記号を認識してそのコードデータを無線通信部３８によって近距離無線通信でキャッシュレジスタ１に伝送する。ケース３１の側面に押しボタンスイッチ３９が設けられており、これを押すと読み取りを開始する。
【００２２】
また、図５に示すようなハンディターミナルと呼ばれる形態のものでもよい。このハンディターミナル４０は、ケース４１の上面に多数の数字キーやファンクションキーを備えたキーボード４２と、液晶表示器４３を設け、前方にアンテナ４４を突設した公知のもので、入力モードの変更が可能であり、バーコードスキャナと携帯型情報端末を兼ねたようなものである。その内部構成については説明を省略するが、図４に示したようなバーコード記号読取機構も備えている。
【００２３】
このような入力端末２７〜２９とキャッシュレジスタ１内の無線通信部との通信プロトコルは限定する物ではないが、安価な近距離無線通信の規格である、Ｂｌｕｅｔｏｏｔｈ、Ｚｉｇｂｅｅ、ＵＷＢなどを利用することができる。
ここでは、キャッシュレジスタ１と入力端末２７，２８，２９は、マスタ機とスレーブ機との関係にある。キャッシュレジスタ１内の無線通信部２６と各入力端末２７，２８，２９との間でリンクの確立、共有確認コマンドの送受信、スレーブからマスタへのファイルの共有などを行って通信が可能になる。これらの作業は即座に行われることであり、たとえ、入力端末２７，２８，２９がそれぞれデータ送信しても、キャッシュレジスタ１内の無線通信部２６でそれらを確実に受信して、個別にＣＰＵに伝送することができる。
【００２４】
大ディスプレイ１５は表示画面を店員（オペレータ）側に向けられ、小ディスプレイ１７，１９はそれぞれ表示画面を顧客側に向けられる。これらの大ディスプレイ１５と小ディスプレイ１７，１９の表示画面の向きは、調整可能にすることができる。
オペレータが、顧客が購入する商品情報を入力端末２７〜２９のいずれか若しくはキーボード２３によって入力すると、それらの商品情報（品名や価格など）は各小ディスプレイ１７又は小ディスプレイ１９に表示される。
なお、これらのディスプレイは、キャッシュレジスタ本体側に設けた端子によって着脱可能にすれば、個数の増減が可能になる。そして、小ディスプレイを備えず、大ディスプレイのみにしてもよいし、小ディスプレイを３個以上備えることも可能である。
【００２５】
大ディスプレイ１５では、表示画面が複数に分割され、小ディスプレイ１７の表示情報及び小ディスプレイ１９の表示情報と同じ情報が、それぞれその分割された領域に表示される。
デフォルトとして、大ディスプレイ１５は左右に二分割されており、左半部には小ディスプレイ１７と同じ情報が表示され、右半部には小ディスプレイ１９と同じ情報が表示されるようになっている。この設定は変更することも可能である。
【００２６】
プリンタ２１は顧客のために商品購入情報を紙に印字して出力するためのデバイスである。先の小ディスプレイ１７又は１９に表示された情報が印字されると考えてよい。このプリンタ２１はプリンタ制御回路２０に接続されて制御されるものである。
なお、図示は省略しているが、このキャッシュレジスタ１内には、さらにハードディスク装置等の大容量の不揮発性メモリや、フレキシブルディスクや光ディスクなどの記録媒体に格納された各種プログラムやデータを取り込むためのディスクドライブ装置なども設けることができる。
【００２７】
〔ソフトウェアの構成〕
図１は、上述したキャッシュレジスタ１のソフトウェア構成例を示す機能ブロック図である。
このキャッシュレジスタ１は、顧客が購入する商品を精算するための精算機能、及び店内にある商品の販売状況、在庫や仕入れなどの管理をする管理機能とを有する。以下の説明において、「商品」には販売する物品だけでなく、レンタルする物品や、飲食店などで提供する料理や飲み物なども含まれるものとする。
第１〜第３商品精算制御部５１〜５３が商品の代金の精算機能を実行し、第１〜第３商品管理制御部５４〜５６が商品の管理機能を実行する。
【００２８】
第１商品精算制御部５１には、販売する商品の品名又は品名コードを登録する商品販売登録部５１１、販売する商品の価格の登録及び入金額に対する釣銭の計算を行う代金入出力管理部１５２、及びそれらの情報を表示するための表示装置管理部５１３が設けられている。第２，第３商品精算制御部５２，５３も第１商品精算制御部５１と同じ機能構成を有する。
第１商品管理制御部５４には、商品在庫の管理を行う商品在庫管理部５４１、商品入荷の管理を行う商品入荷管理部５４２、商品廃棄の管理を行う商品廃棄管理部５４３、及びそれらの管理状況を表示するための表示装置管理部５４４が設けられている。第２，第３商品管理制御部５５，５６も第１商品管理制御部５４と同じ機能構成を有する。
【００２９】
第１〜第３商品精算制御部５１〜５３及び第１〜第３商品管理制御部５４〜５６は総合統括部５７によって管理され、総合統括部５７はそれらで処理された情報によって、商品情報データベース６０、在庫管理データベース６１及び売上管理データベース６２の情報を書き換えることができる。以後「データベース」をＤＢと称す。商品情報ＤＢ６０には、店舗で扱える商品のプロパティ（品名及び品名コード、価格、仕入先などの固有情報）が蓄積されている。在庫管理ＤＢ６１には、商品精算制御部５１〜５３や商品管理制御部５４〜５６の情報によって、店舗にどのような商品が入荷し、販売され、保管されているかが記録される。売上管理ＤＢ６２には、金銭の出し入れが記録され、売上げ状況がリアルタイムで記録される。
【００３０】
これらの各データベースは必ずしも最初から保持している必要はなく、これらのデータを格納できるハードディスク等の不揮発性メモリによるデータベース格納部を備えていればよい。そして、商品情報ＤＢ６０は、外部の記憶媒体から読み込んだり通信回線を介してダウンロードしたりしてもよい。在庫管理ＤＢ６１と売上管理ＤＢ６２は、使用の過程で順次蓄積あるいは書き換えていくものである。
上述した総合統括部５７と各制御部５１〜５６，５８，５９，６３は、図２に示したＣＰＵ１１、ＲＡＭ１２、及びＲＯＭ１３とバス３０によって構成されるマイクロコンピュータによって実現される機能である。なお、図２に示した各デバイス及び制御回路は、図１には示していない。
【００３１】
入力端末２７〜２９は先に説明したものであり、後述するように単独で使用されたり、あるいは２つ以上同時に使用される場合がある。その複数の入力端末２７〜２９のいずれかあるいは複数送信される情報を無線通信部２６で受信し、その入力情報を端末切替制御部６３によって切り替えて総合統括部５７へ送る。そして、その入力情報は、総合統括部５７によって各制御部５１〜５６のうちの必要な制御部へ送られる。その際、メモリ制御部５８によって図２に示したＲＡＭ１２及びＲＯＭ１３に対するデータ書き込み及び又はデータ読み出しの制御を行う。
【００３２】
〔販売時の精算作業の処理手順〕
ここで、顧客が購入する商品の精算作業の処理手順について説明する。
キャッシュレジスタ１前に並んだ顧客は、購入したい商品をレジ台の前に置く。例えば、客が１２０円の缶ジュース（品名コード：１１０１）と１００円のパン（品名コード：１２０１を購入しようとしたとする。
【００３３】
店員は、図３に示したような入力端末２７〜２９のいずれかを把持し、その各商品のバーコードを走査することによって、商品の品名コードと価格の情報をキャッシュレジスタ１に入力する。端末切替制御部６３は、入力端末２７〜２９のうちのいずれがＯＮになっているかを無線通信部２６よって予め認証している。そして、入力端末２７からの入力情報であれば、総合統括部５７によってそれを第１商品精算制御部５１に入力させる。具体的には、第１商品精算制御部５１の商品販売登録部５１１に、品名コード：１１０１と品名コード：１２０１が登録され、代金入出力管理部５１２に１２０円と１００円と合計金額２２０円が登録される。
【００３４】
また同時に、表示制御部５９は現在の状況を表示させるディスプレイを選択認証する。この構成では、デフォルトとして、入力端末２７は図２に示した小ディスプレイ１７を、入力端末２８は同じく小ディスプレイ１９を表示器として認証することが予め設定されている。また、図２に示した大ディスプレイ１５の左半部は小ディスプレイ１７と同じ表示、右半部は小ディスプレイ１９と同じ表示がなされることも予め設定されている。
【００３５】
すなわち、この実施例ではデフォルトにおける入力端末２７〜２９、小ディスプレイ１７，１９、および大ディスプレイ１５の左半部と右半部の表示の組み合わせを次のように設定している。
入力端末２７の情報  →  小ディスプレイ１７  →  大ディスプレイ１５の左半部
入力端末２８の情報  →  小ディスプレイ１９  →  大ディスプレイ１５の右半部
【００３６】
しかし、これはデフォルトの設定であり、使用用途によって変更することは可能であり、入力端末２９からの入力情報を小ディスプレイ１７，１９のいずれかと、大ディスプレイ１５の左右のいずれかの半部に表示させるようにすることもできる。
これらの設定情報は、各商品精算制御部５１〜５３の表示装置管理部５１３に登録される。
上述した商品販売登録部５１１に登録された売上品の品名情報及び代金入出力管理部５１２に登録された価格情報は、入力端末２７による入力情報であるため、上記のデフォルト状態では、小ディスプレイ１７と大ディスプレイ１５の左半部に、図６に示すように表示される。
【００３７】
ここで、店員が顧客から３００円預かって、その金額を図２に示したキーボード２３から入力すると、代金入出力管理部にそれが入力され釣銭が計算されて、預かり金３００円と釣り銭８０円が登録される。それによって、小ディスプレイ１７及び大ディスプレイ１５の左半部に、図７に示すように表示される。
この金銭の出し入れは、代金入出力管理部５１２で管理され、図２に示したキャッシュドロワ制御部２４によってキャッシュドロワ２５の開閉を駆動制御する。
【００３８】
これらと並行して、入力端末２８によって入力端末２７とは別の顧客の商品精算をすることもできる。例えば、別の顧客が６００円の弁当（品名コード：１４０１）と、１５０円の飲料水（品名コード：１１０２）を購入しようとしている場合、予め端末切替制御部６３は入力端末２８を無線通信部２６を通して選択認証する。また、この時点で精算処理は第２商品精算制御部５２が担うようにも設定される。第２商品精算制御部５２には、第１商品精算制御部５１と同様に、商品販売登録部、代金入出力管理部及び表示装置管理部を備えている。
【００３９】
そして、入力端末２８によって入力された商品の品名情報と価格情報は、第２商品精算制御部５２の商品販売登録部と代金入出力管理部にそれぞれ登録される。このとき代金入出力管理部には合計金額も計算されて登録される。
それによって、その登録されてた情報が小ディスプレイ１９と大ディスプレイ１５の右半部に、図８に示すように表示される。このとき、小ディスプレイ１７と大ディスプレイ１５の左半部には、入力端末２７によって入力して登録した情報が図７に示したのと同じに表示されている。
【００４０】
なお、各入力端末２７〜２９から送信されるデータについては、その受信データを総合統括部５７及びメモリ制御部５８によって、随時図２に示したＲＡＭ１２に一時記憶させるように制御をしているので、データ送信が競合してどちらかの入力端末がエラーになって使えなくなるということはない。
【００４１】
〔在庫管理作業の処理手順〕
上述した精算処理と同時に商品の在庫管理処理も可能である。ここでは、キャッシュレジスタ１にハンディターミナル等の入力端末２７〜２９を接続して使用する。入力端末２７〜２９は、接続の際に無線による認証が行われる。
入荷した製品は添付されているバーコードを例えば入力端末２７で走査することによって、入力端末２７によって読み取られた商品情報（品名コード、価格など）がキャッシュレジスタ１へ送信され、無線通信部２６によって受信される。そして、その商品情報が、第１商品管理制御部５４の商品在庫管理部５４１に入力され、商品在庫管理部５４１と商品入荷管理部５４２に登録される。
【００４２】
大量に入荷したような場合は、伝票に印刷されたバーコードを走査することによって入力することもできる。また、賞味期限が切れた商品（食品）など廃棄する場合も、その商品のバーコードを走査することによって、その商品情報を無線伝送によって適宜キャッシュレジスタ１に入力し、商品廃棄管理部５４３に登録する。
その商品の在庫管理状況は、大ディスプレイ１５に表示することができる。この場合表示装置管理部５４４で大ディスプレイ１５を三分割表示するように指示する。そして、その三分割した画面のうちの１つの画面に在庫管理状況を表示する。それにより、在庫管理の更新状況をキャッシュレジスタのそばに居ながら把握できる。また、残りの二つの画面には、入力端末２８，２９で行われている精算作業の状況を表示できる。但し、精算作業で忙しく、在庫管理をチェックする必要がなければ入力端末の操作によって商品の在庫管理状況を表示しないことも可能である。
【００４３】
ここでは、精算作業と商品管理作業とを並行して行う例を説明したが、３個の入力端末すべてによって精算作業あるいは商品管理作業だけを行うことも可能である。すべての端末により精算作業を行う場合、顧客向けの小ディスプレイが不足するが、精算作業を妨げるものではない。さらに、ハードウェアの構成は図１に示したものに限定するものではないので、小ディスプレイをもう一台増設することも可能であるし、店員側のディスプレイも１台に限定することはなく、入力端末毎に設けてもかまわない。
【００４４】
商品管理における入力端末の種類は、図３、図４に示したハンディスキャナや図５に示したハンディターミナルのようなものでもよいし、バーコード記号等による商品情報を読み取って入力、記憶、および無線送信可能なものであれば、図３乃至図５に示したものに限定されない。
キャッシュレジスタ１に接続する入力端末の数は３個に限るものではなく、４個以上接続できるようにしてもよい。その場合、接続可能な入力端末の数だけキャッシュレジスタ内に商品精算制御部と商品管理制御部を設けるのが望ましい。
【００４５】
各入力端末２７〜２９を無線通信でキャッシュレジスタ１と情報伝送を可能にしているので、各入力端末２７〜２９をキャッシュレジスタ１のそばで、販売する商品の情報を読み取るために使用するだけでなく、店内や倉庫も含む任意の場所へ移動して、在庫商品や入荷商品、廃棄する商品等の情報を読み取って、それをキャッシュレジスタ１へ送信することができる。
【００４６】
次に、この発明によるキャッシュレジスタの他の実施例を図９によって説明する。図９はそのキャッシュレジスタのソフトウェア構成を示す図１と同様な機能ブロック図である。この図９において、図１の各部と同じ部分には同一の符号を付してあり、それらの説明は省略する。
図５に示したようなハンディターミナル４０は、図１における第１商品管理制御部５４と同等に商品在庫管理部４４１、商品入荷管理部４４２、商品廃棄管理部４４３、及び表示装置管理部４４４として機能するソフトウエアを備えている。
このソフトウエアは、元々ハンディターミナル４０に組み込んでおいてもよいし、キャッシュレジスタ本体１′側からハンディターミナル４０へダウンロードさせてもよい。
【００４７】
そこで、このハンディターミナル４０を、図１に示した第１商品管理制御部５４の代わりにキャッシュレジスタ本体１′に着脱可能に設けて、有線又は無線で総合統括部５７と情報交換可能に接続する。
このように構成しても、キャッシュレジスタ本体１′とハンディターミナル４０及び複数の入力端末２７〜２９によって、ＰＯＳシステムを構成することができる。
【００４８】
さらに、この発明によるキャッシュレジスタにはカードリーダを備えたり、携帯電話機等のデータ送受信機を備えてもよい。また、キャッシュドロワ２５に加えて自動釣り銭出力機の機能を追加することも可能である。
また、各店舗にあるこの発明のキャッシュレジスタによるＰＯＳシステムをネットワークで接続し、チェーン店全体のＰＯＳシステムを構成することも可能である。
【産業上の利用可能性】
【００４９】
この発明によるキャッシュレジスタは、販売する商品の精算機能だけでなく、販売に関連する各種の情報（商品情報、在庫管理情報、売上管理情報など）を管理する機能を有するので、複数の入力端末とともにＰＯＳシステムを安価に構成でき、特別なスペースも必要としない。したがって、スーパーマーケット、コンビニ、小売店、量販店等の各種販売店や、レストラン、居酒屋、レンタルショップなどのサービス業も含む広範な取引現場において、有効に利用できる。
また、各店舗におけるこの発明のキャッシュレジスタによるＰＯＳシステムをネットワークで接続し、チェーン店全体のＰＯＳシステムを構成することも可能である。
【図面の簡単な説明】
【００５０】
【図１】この発明によるキャッシュレジスタの一実施例のソフトウェア構成を示す機能ブロック図である。
【図２】この発明によるキャッシュレジスタの一実施例のハードウェア構成を示すブロック図である。
【図３】図１及び図２における入力端末の一例を示すハンディスキャナのバーコード読取状態を示す外観斜視図である。
【図４】図３に示したハンディスキャナの側断面概略図である。
【図５】図１及び図２における入力端末の他の例を示すハンディターミナルの外観斜視図である。
【図６】販売時の精算作業中に大ディスプレイ及び小ディスプレイの表示例を示す図である。
【図７】代金を預かって釣銭がある場合の大ディスプレイ及び小ディスプレイの表示例を示す図である。
【図８】２台の入力端末から入力された商品情報及び精算情報を同時に表示する場合の大ディスプレイ及び小ディスプレイの表示例を示す図である。
【図９】この発明によるキャッシュレジスタの他の実施例のソフトウェア構成を示す機能ブロック図である。
【符号の説明】
【００５１】
１：キャッシュレジスタ      １′：キャッシュレジスタ本体
３：ハンディスキャナ（入力端末）      １０：ＰＯＳシステム
４：読み取り対象      ４ａ：バーコード記号
１１：ＣＰＵ      １２：ＲＡＭ      １３：ＲＯＭ
１４：大ディスプレイ制御回路  １５：大ディスプレイ  
１６，１８：小ディスプレイ制御回路  １７，１９：小ディスプレイ
２０：プリンタ制御回路      ２１：プリンタ
２２：キーボード制御回路      ２３：キーボード    
２４：キャッシュドロワ制御回路      ２５：キャッシュドロワ
２６：無線通信部      ２７，２８，２９：入力端末      ３０：バス
３１：ケース  ３２：ＬＥＤ  ３３：反射ミラー  ３４：スリット  ３５：結像光学系  ３６：受光素子（ＣＣＤイメージセンサ）３７：信号処理部  ３８：無線通信部
４０：ハンディターミナル      ４１：ケース      ４２：キーボード
４３：液晶表示器      ４４：アンテナ
【００５２】
５１：第１商品精算制御部      ５２：第２商品精算制御部
５３：第３商品精算制御部      ５４：第１商品管理制御部
５５：第２商品管理制御部      ５６：第３商品管理制御部
５７：総合統括部      ５８：メモリ制御部      ５９：表示制御部
６０：商品情報データベース      ６１：在庫管理データベース
６２：売上管理データベース      ６３：端末切替制御部
５１１：商品販売登録部      ５１２：代金入出力管理部
５１３：表示装置管理部      ４４１，５４１：商品在庫管理部
４４２，５４２：商品入荷管理部      ４４３，５４３：商品廃棄管理部
４４４，５４４：表示装置管理部      
【図１】
0004593417.tif 000002
【図２】
0004593417.tif 000003
【図３】
0004593417.tif 000004
【図４】
0004593417.tif 000005
【図５】
0004593417.tif 000006
【図６】
0004593417.tif 000007
【図７】
0004593417.tif 000008
【図８】
0004593417.tif 000009
【図９】
0004593417.tif 000010